(57)【要約】【課題】例えば十ｋｍ程度の距離範囲内にある複数の監視対象となるエリアの何れか１つからの監視情報をセンタ側伝送機器で監視することができる双方向光伝送システムを提供することにある。【解決手段】センタ側伝送機器１５からｎ個所の監視対象となるエリアのうち第ｋ番目を選択するためのアドレス情報ｋを送信し、エリアｋに設けられた対象エリア側伝送機器１３−ｋでは、センタ側伝送機器１５から受信したアドレス情報が自機器のアドレスｋと一致した場合に駆動許可信号を出力し、駆動許可信号を入力した場合にのみ電気／光変換部５５−ｋで監視情報を光信号に変換して光ファイバを介して光カプラ１７に出力することで、第ｋ番目のエリアからの監視情報のみをセンタ側伝送機器１５で監視できるようにしている。【選択図】　　　図１
2004038441.tif 000002
【特許請求の範囲】
【請求項１】
監視センタに設けられ制御情報を送信するセンタ側伝送機器と、
第１乃至第ｎの監視対象エリアにそれぞれ設けられ収集した監視情報を送信する第１乃至第ｎの対象エリア側伝送機器と、
前記センタ側伝送機器と１心の光ファイバで接続するとともに、第１乃至第ｎの対象エリア側伝送機器とそれぞれ１心の光ファイバで接続して合波・分岐する１対ｎの光カプラとを備え、
前記センタ側伝送機器は、
第１乃至第ｎの監視対象エリアのうち第ｋ番目を選択するためのアドレス情報を前記制御情報に付加して送信するアドレス送信手段を備え、
前記第ｋ番目の対象エリア側伝送機器は、
前記センタ側伝送機器から受信したアドレス情報が自機器のアドレスと一致した場合に駆動許可信号を出力するアドレス照合手段と、
前記アドレス照合手段から駆動許可信号を入力した場合にのみ監視情報を光信号に変換して光カプラに出力する電気光変換手段とを備えたことを特徴とする双方向光伝送システム。
【請求項２】
前記第ｋ番目の対象エリア側伝送機器は、
当該監視対象エリアに発生する異常状態を検知する異常検知手段と、
前記異常検知手段により異常状態が検知された場合に異常情報を前記監視情報に付加する異常情報付加手段とを備え、
前記センタ側伝送機器は、
前記アドレス送信手段に１からｎまでのｋ値を順次設定する設定手段と、
前記第ｋ番目の対象エリア側伝送機器から受信した監視情報に異常情報が含まれるかどうかを判断する異常判断手段と、
前記異常判断手段により監視情報に異常情報が含まれると判断された場合には、前記第ｋ番目の監視対象エリアに異常が発生したことを報知する報知手段とを備えたことを特徴とする請求項１記載の双方向光伝送システム。
【請求項３】
前記異常判断手段により監視情報に異常情報が含まれないと判断された場合には、前記報知手段により第ｋ番目の監視対象エリアに異常が発生したことの報知を解除する解除手段を備えたことを特徴とする請求項２記載の双方向光伝送システム。
【請求項４】
監視対象エリアに設けられ収集した音声情報及び映像情報を送信する対象エリア側伝送機器と、
第１乃至第ｎの監視センタに設けられ音声情報及び映像情報を受信する第１乃至第ｎのセンタ側伝送機器と、
前記対象エリア側伝送機器と１心の光ファイバで接続するとともに、前記第１乃至第ｎのセンタ側伝送機器とそれぞれ１心の光ファイバで接続して合波・分岐する１対ｎの光カプラとを備え、
前記対象エリア側伝送機器は、
当該監視対象エリアに発生する異常状態を検知する異常検知手段と、
第１乃至第ｎのセンタ側伝送機器のアドレス情報に対してそれぞれ前記音声情報及び／又は映像情報を報知するか否かを表す出力可否フラグを記憶する異常報知テーブルと、
前記異常検知手段により異常状態が検知された場合に、前記音声情報及び映像情報に付加して第１乃至第ｎのセンタ側伝送機器のアドレス情報とそれぞれの前記出力可否フラグを第１乃至第ｎのセンタ側伝送機器に送信する情報送信手段とを備え、
前記第１乃至第ｎのセンタ側伝送機器は、
前記対象エリア側伝送機器から受信したアドレス情報が自機器のアドレスと一致した場合に、前記出力可否フラグに応じて音声ＯＮ／ＯＦＦ信号及び映像ＯＮ／ＯＦＦ信号を出力するアドレス照合手段と、
前記アドレス照合手段からの音声ＯＮ／ＯＦＦ信号及び映像ＯＮ／ＯＦＦ信号に応じて前記対象エリア側伝送機器から受信した前記音声情報及び映像情報の出力の可否を決定する出力手段とを備えたことを特徴とする双方向光伝送システム。
【発明の詳細な説明】
【０００１】
【発明の属する技術分野】
本発明は、映像・音声監視システムに適応可能な双方向光伝送システムに関し、特に、１心の光ファイバを介して映像情報及び音声情報を双方向伝送する双方向光伝送システムに関する。
【０００２】
【従来の技術】
従来、双方向光伝送システムとしては、図１２に示すように、１心の光ファイバを介して映像情報と音声情報及び制御情報などの情報を双方向伝送する映像・音声監視システムが知られている。
図１２において、監視対象となるエリア１〜エリアｎの近くに設けられた対象エリア側伝送機器９１３と、監視員がいるセンタ側に設けられたセンタ側伝送機器とが１心の光ファイバ９１７を介して接続されており、対象エリア側伝送機器９１３とセンタ側伝送機器９１５とは例えば５０ｋｍ隔たっている。
【０００３】
センタ側伝送機器９１５には、モニタ９３１、スピーカ９３３、コントローラ９３７が接続されており、監視員により所望のエリア番号が指示されると、指示されたエリア番号がコントローラ９３７からセンタ側伝送機器９１５に入力され、センタ側伝送機器９１５からこのエリア番号が対象エリア側伝送機器９１３に送信される。
このエリア番号を受信した対象エリア側伝送機器９１３は、受信したエリア番号をスイッチャ９１９に出力し、複数のカメラ９２１、マイク９２３、スピーカ９２５のうちエリア番号で指定されたものが同軸ケーブルやコードを介してスイッチャに接続され、スイッチャ９１９から同軸ケーブルを介して対象エリア側伝送機器９１３に接続される。
【０００４】
この結果、コントローラ９３７から例えばエリア１が指定された場合、５０ｋｍ隔たっているエリア１に設けられたカメラ９２１、マイク９２３、スピーカ９２５が対象エリア側伝送機器９１３に接続され、エリア１の風景や音声が光ファイバ９１７を介してセンタ側伝送機器９１５に接続されたモニタ９３１やスピーカ９３３に出力されるとともに、センタ側伝送機器９１５に接続されたマイク９３５に入力される音声がエリア１に設けられたスピーカ９２５から出力される。
【０００５】
このように、従来の双方向光伝送システム９１１によれば、１心の光ファイバ９１７で双方向伝送することができ、特に、遠方の各エリアに設けられたカメラ９２１、マイク９２３、スピーカ９２５を切り替えて所望エリアの映像情報や音声情報の収集、当該エリアへの音声情報の送信などを行うことができる。また、光ファイバの敷設本数が限られているといった条件下でも、１心の光ファイバ９１７を用いて双方向伝送することができる。
【０００６】
【発明が解決しようとする課題】
しかしながら、従来の双方向光伝送システム９１１にあっては、１つのスイッチャ９１９に同軸ケーブルやコードを介して複数のカメラ９２１、マイク９２３、スピーカ９２５がエリア毎に接続されているので、同軸ケーブルやコードの電気的特性に起因してスイッチャ９１９から各エリアまで数十ｍ程度の距離しか信号伝送ができなかった。
このため、対象エリア側伝送機器９１３から数十ｍ程度の距離範囲内にあるそれぞれのエリアしか監視対象エリアとして設定することができなかった。
【０００７】
そこで、数百ｍから数ｋｍ程度あるいは十ｋｍ程度の距離範囲内にあるエリアをも監視対象エリアに設定することができる双方向光伝送システムが要望されていた。
【０００８】
また、従来の双方向光伝送システム９１１にあっては、１つのセンタ側伝送機器９１５に対して１人の監視員が監視するように構成されているが、複数のセンタ側伝送機器に対してそれぞれ監視員が監視するようには構成されていないので、複数のセンタ側伝送機器に対して最適な双方向光伝送システムになっていなかった。
【０００９】
このため、対象エリア側伝送機器から複数のセンタ側伝送機器への報知内容として、音声情報及び／又は映像情報を報知するか否かをそれぞれ最適に変更することができる双方向光伝送システムが要望されていた。
【００１０】
本発明は、上記に鑑みてなされたもので、その目的としては、例えば十ｋｍ程度の距離範囲内にある複数の監視対象となるエリアの何れか１つからの監視情報をセンタ側伝送機器で監視することができる双方向光伝送システムを提供することにある。
また、対象エリア側伝送機器から複数のセンタ側伝送機器への報知内容として、音声情報及び／又は映像情報を報知するか否かをそれぞれ最適に変更することができる双方向光伝送システムを提供することにある。
【００１１】
【課題を解決するための手段】
請求項１記載の発明は、上記課題を解決するため、監視センタに設けられ制御情報を送信するセンタ側伝送機器と、第１乃至第ｎの監視対象エリアにそれぞれ設けられ収集した監視情報を送信する第１乃至第ｎの対象エリア側伝送機器と、前記センタ側伝送機器と１心の光ファイバで接続するとともに、第１乃至第ｎの対象エリア側伝送機器とそれぞれ１心の光ファイバで接続して合波・分岐する１対ｎの光カプラとを備え、前記センタ側伝送機器は、第１乃至第ｎの監視対象エリアのうち第ｋ番目を選択するためのアドレス情報を前記制御情報に付加して送信するアドレス送信手段を備え、前記第ｋ番目の対象エリア側伝送機器は、前記センタ側伝送機器から受信したアドレス情報が自機器のアドレスと一致した場合に駆動許可信号を出力するアドレス照合手段と、前記アドレス照合手段から駆動許可信号を入力した場合にのみ監視情報を光信号に変換して光カプラに出力する電気光変換手段とを備えたことを要旨とする。
【００１２】
請求項２記載の発明は、上記課題を解決するため、前記第ｋ番目の対象エリア側伝送機器は、当該監視対象エリアに発生する異常状態を検知する異常検知手段と、前記異常検知手段により異常状態が検知された場合に異常情報を前記監視情報に付加する異常情報付加手段とを備え、前記センタ側伝送機器は、前記アドレス送信手段に１からｎまでのｋ値を順次設定する設定手段と、前記第ｋ番目の対象エリア側伝送機器から受信した監視情報に異常情報が含まれるかどうかを判断する異常判断手段と、前記異常判断手段により監視情報に異常情報が含まれると判断された場合には、前記第ｋ番目の監視対象エリアに異常が発生したことを報知する報知手段とを備えたことを要旨とする。
【００１３】
請求項３記載の発明は、上記課題を解決するため、前記異常判断手段により監視情報に異常情報が含まれないと判断された場合には、前記報知手段により第ｋ番目の監視対象エリアに異常が発生したことの報知を解除する解除手段を備えたことを要旨とする。
【００１４】
請求項４記載の発明は、上記課題を解決するため、監視対象エリアに設けられ収集した音声情報及び映像情報を送信する対象エリア側伝送機器と、第１乃至第ｎの監視センタに設けられ音声情報及び映像情報を受信する第１乃至第ｎのセンタ側伝送機器と、前記対象エリア側伝送機器と１心の光ファイバで接続するとともに、前記第１乃至第ｎのセンタ側伝送機器とそれぞれ１心の光ファイバで接続して合波・分岐する１対ｎの光カプラとを備え、前記対象エリア側伝送機器は、当該監視対象エリアに発生する異常状態を検知する異常検知手段と、第１乃至第ｎのセンタ側伝送機器のアドレス情報に対してそれぞれ前記音声情報及び／又は映像情報を報知するか否かを表す出力可否フラグを記憶する異常報知テーブルと、前記異常検知手段により異常状態が検知された場合に、前記音声情報及び映像情報に付加して第１乃至第ｎのセンタ側伝送機器のアドレス情報とそれぞれの前記出力可否フラグを第１乃至第ｎのセンタ側伝送機器に送信する情報送信手段とを備え、前記第１乃至第ｎのセンタ側伝送機器は、前記対象エリア側伝送機器から受信したアドレス情報が自機器のアドレスと一致した場合に、前記出力可否フラグに応じて音声ＯＮ／ＯＦＦ信号及び映像ＯＮ／ＯＦＦ信号を出力するアドレス照合手段と、前記アドレス照合手段からの音声ＯＮ／ＯＦＦ信号及び映像ＯＮ／ＯＦＦ信号に応じて前記対象エリア側伝送機器から受信した前記音声情報及び映像情報の出力の可否を決定する出力手段とを備えたことを要旨とする。
【００１５】
【発明の実施の形態】
以下、本発明の実施の形態を図面を参照して説明する。
（第１の実施の形態）
図１は、本発明の第１の実施の形態に係る双方向光伝送システム１１のシステム構成を示す図である。
【００１６】
図１に示すように、双方向光伝送システム１１には、監視対象となるエリア１〜エリアｎに設けられた対象エリア側伝送機器１３−１〜１３−ｎ、監視センタに設けられたセンタ側伝送機器１５、監視センタから例えば５０ｋｍ程度離れた位置に設けられ光カプラ１７が備えられている。また、光カプラ１７は、監視対象となるエリア１〜ｎから例えば１０ｋｍ程度離れた位置に設置されている。
【００１７】
光カプラ１７の一端には１心の光ファイバ１６を介してセンタ側伝送機器１５が接続されており、他端にはｎ心の光ファイバ１８−１〜１８−ｎを介して対象エリア側伝送機器１３−１〜１３−ｎが接続されている。
【００１８】
そして、対象エリア側伝送機器１３−１〜１３−ｎには、カメラ（映像撮像機）２１−１〜２１−ｎ、マイク２３−１〜２３−ｎ、スピーカ２５−１〜２５−ｎ、各種のセンサ２７−１〜２７−ｎ、対象エリア側伝送機器１３−１〜１３−ｎの制御に用いるコントローラ２９−１〜２９−ｎが接続されている。
各種のセンサ２７−１〜２７−ｎとしては、赤外線を検知する赤外線センサ、振動を検知する振動センサ、酸素濃度を検知する酸素センサ、放射能を検知する放射能センサ、風速を検知する風速計、水深を検知する水深計、車両の交通流を検知する交通流検知器、異常音を検知する異常音検知器等があり、検知信号をコントローラ２９−１〜２９−ｎに出力する。
【００１９】
また、センタ側伝送機器１５には、モニタ（映像受像器）３１、スピーカ３３、マイク３５、センタ側伝送機器１５の制御に用いるコントローラ３７が接続されている。コントローラ３７には、ＲＯＭ、ＲＡＭ、ＣＰＵ、タイマが設けられている。
【００２０】
図１に示すように、双方向光伝送システム１１は、対象エリア側伝送機器１３−１〜１３−ｎが光カプラ１７を介してセンタ側伝送機器１５に対向されいる。ここで、例えば対象エリア側伝送機器１３−ｎから光ファイバ１８−ｎ、光カプラ１７、光ファイバ１６を介してセンタ側伝送機器１５に情報を伝送する場合には、例えば１３１０ｎｍの光波長ａを用い、センタ側伝送機器１５から光ファイバ１６、光カプラ１７、光ファイバ１８−ｎを介して対象エリア側伝送機器１３−ｎに情報を伝送する場合には例えば１５５０ｎｍの光波長ｂを用いるようにして、異なる光波長を用いることで１心の光ファイバ１６と光ファイバ１８−ｎにより、映像情報、音声情報、制御情報等の複数の情報を双方向伝送している。
【００２１】
次に、図２は対象エリア側伝送機器１３−ｋ（１≦ｋ≦ｎ）のそれぞれに共通のブロック構成を示す図であり、図３はセンタ側伝送機器１５のブロック構成を示す図である。
図２に示すように、対象エリア側伝送機器１３−ｋには、送信部４１−ｋ、受信部４３−ｋ、ＷＤＭカプラ４５−ｋ、光入出力コネクタ４７−ｋが備えられており、送信部４１−ｋと受信部４３−ｋ及び光入出力コネクタ４７−ｋがＷＤＭカプラ４５−ｋを介して結合されている。
【００２２】
送信部４１−ｋには、アナログ入力信号をデジタル信号に変換するアナログ／デジタル変換部５１−ｋ、複数の入力デジタル信号を時分割多重しシリアル信号に変換する多重化部５３−ｋ、後述するアドレス照合部６９−ｋからハイレベルの駆動許可信号（１）が入力されている場合に時分割多重された電気的なシリアル信号を例えばレーザダイオードを用いて光信号に変換する電気／光変換部５５−ｋが設けられている。電気／光変換部５５−ｋは、コントローラ１３７−ｋから出力される駆動許可信号によりｎ台のうち１台のみが駆動され他は駆動されない。
【００２３】
受信部４３−ｋには、時分割多重されたデジタル光信号を電気信号に変換する光／電気変換部６１−ｋ、時分割多重されたデジタル信号を複数のデジタル信号に分離する分離部６３−ｋ、分離されたデジタル信号をアナログ信号に変換するデジタル／アナログ変換部６５−ｋ、分離部６３−ｋで分離された制御アドレスがデップＳＷ６７−ｋに設定してある当該機器アドレス（ｋ）と照合して両者が一致する場合にハイレベルの駆動許可信号（１）を電気／光変換部５５−ｋに出力するアドレス照合部６９−ｋが設けられている。
【００２４】
ＷＤＭカプラ４５−ｋは、送信部４１−ｋから波長ａの光信号が入力された場合に光入出力コネクタ４７−ｋに波長ａの光信号を出力し、光入出力コネクタ４７−ｋから波長ｂの光信号が入力された場合に受信部４３−ｋに波長ｂの光信号を出力する。
図３に示すように、センタ側伝送機器１５には、送信部７１、受信部７３、ＷＤＭカプラ７５、光入出力コネクタ７７が備えられており、送信部７１と受信部７３及び光入出力コネクタ７７がＷＤＭカプラ７５を介して結合されている。
【００２５】
送信部７１には、アナログ入力信号をデジタル信号に変換するアナログ／デジタル変換部８１、複数の入力デジタル信号を時分割多重しシリアル信号に変換する多重化部８３、時分割多重された電気的なシリアル信号を光信号に変換する電気／光変換部８５が設けられている。
【００２６】
受信部７３には、時分割多重されたデジタル光信号を電気信号に変換する光／電気変換部９１、時分割多重されたデジタル信号を複数のデジタル信号に分離する分離部９３、分離されたデジタル信号をアナログ信号に変換するデジタル／アナログ変換部９５が設けられている。
【００２７】
ＷＤＭカプラ７５は、送信部７１から波長ｂの光信号が入力された場合に光入出力コネクタ４７に波長ｂの光信号を出力し、光入出力コネクタ４７から波長ａの光信号が入力された場合に受信部７３に波長ａの光信号を出力する。
【００２８】
次に、図１〜図４を参照して、本発明の第１の実施の形態に係る双方向光伝送システム１１の動作を説明する。なお、図４は、センタ側伝送機器１５から対象エリア側伝送機器１３−１〜１３−ｎに送信される制御情報や音声情報等の伝送情報のデータ構造を示している。また、図５は、対象エリア側伝送機器１３−１〜１３−ｎの何れか１つから送信される制御情報や音声情報等の監視情報９９のデータ構造を示している。
【００２９】
（１）センタ側伝送機器でのエリア指定
いま、監視センタの監視員が、エリア１周辺の映像及び音声を収集しようとしていることとする。
図３において、センタ側伝送機器１５に接続されているコントローラ３７が監視員によって操作され、エリア１を指定するスイッチ（図示しない）が押されると、コントローラ３７から制御アドレス１が多重化部８３に出力される。
【００３０】
多重化部８３では、図４に示すように、ヘッダ情報とその他情報に加えて、コントローラ３７から入力された制御アドレス１と、アナログ／デジタル変換部８１から入力された音声情報が時分割多重されてシリアル信号（伝送情報９７）に変換され、さらに、電気／光変換部８５では、時分割多重された電気的なシリアル信号が波長ｂの光信号に変換されて光ファイバ８７に出力される。
次いで、光ファイバ８７の他端に接続されているＷＤＭカプラ７５、光ファイバ８９、光入出力コネクタ７７を介して波長ｂの光信号が１心の光ファイバ１６に出射される。
【００３１】
（２）対象エリア側伝送機器の応答
監視センタから例えば５０ｋｍ離れた位置に配置されている光カプラ１７の一端に光ファイバ１６が接続されており、センタ側伝送機器１５から送信された波長ｂの光信号が光カプラ１７によりｎ本の光ファイバ１８−１〜１８−ｎに分岐され、エリア１〜ｎに設けられた対象エリア側伝送機器１３−１〜１３−ｎに入力される。
【００３２】
ここで、図２において、対象エリア側伝送機器１３−１では、光カプラ１７からの波長ｂの光信号が光ファイバ１８−１、光入出力コネクタ４７−１、光ファイバ５９−１を介してＷＤＭカプラ４５−１に入力される。ＷＤＭカプラ４５−１では、波長ｂの光信号が光ファイバ５８−１へ分岐されて受信部４３−１に設けられた光／電気変換部６１−１に入力される。
【００３３】
光／電気変換部６１−１では、入力された波長ｂの光信号が時分割多重された電気信号に変換されて分離部６３−１に出力される。分離部６３−１では、時分割多重された伝送情報９７が制御情報や音声情報に分離され、制御情報がコントローラ２９−１及びアドレス照合部６９−１へ、音声情報がデジタル／アナログ変換部６５−１へ出力される。
【００３４】
デジタル／アナログ変換部６５−１では、入力された音声情報が音声信号に変換されスピーカ２５−１に出力され、対象となるエリア１に監視センタからの音声が出力される。
【００３５】
ここで、アドレス照合部６９−１では、デップＳＷ６７−１に設定してある当該機器アドレス（１）が入力されており、分離部６３−１で分離された制御アドレスと当該機器アドレス（１）と照合して両者が一致する場合、ハイレベルの駆動許可信号（１）が電気／光変換部５５−１に出力される。
【００３６】
一方、送信部４１−１に設けられたアナログ／デジタル変換部５１−１では、カメラ２１−１及びマイク２３−１から入力された映像信号及び音声信号がデジタル信号に変換されて多重化部５３−１に出力される。次いで、多重化部５３−１では、コントローラ２９−１から入力された制御信号、アナログ／デジタル変換部５１−１から入力された映像情報及び音声情報が時分割多重されたシリアル信号（監視情報９９）に変換され電気／光変換部５５−１に出力される。
【００３７】
電気／光変換部５５−１では、上述したようにアドレス照合部６９−１からハイレベルの駆動許可信号（１）が入力されているので、ハイレベルの駆動許可信号（１）により電源がイネーブルになり例えばレーザダイオードにこの電源が印加される。そして、時分割多重された電気的なシリアル信号がこのレーザダイオードにより光信号に変換され光ファイバ５７−１に波長ａの光信号が出射される。
【００３８】
次いで、電気／光変換部５５−１から出射された波長ａの光信号は、光ファイバ５７−１、ＷＤＭカプラ４５−１、光ファイバ５９−１、光入出力コネクタ４７−１、光ファイバ１８−１、光カプラ１７、光ファイバ１６を介してセンタ側伝送機器１５に入力される。
【００３９】
ところで、エリア２〜ｎにおいて、対象エリア側伝送機器１３−２〜１３−ｎに設けられたアドレス照合部６９−２〜６９−ｎでは、デップＳＷ６７−２〜６７−ｎに設定してある当該機器アドレス（２〜ｎ）が入力されており、分離部６３−２〜６３−２で分離された制御アドレスと当該機器アドレス（２〜ｎ）と照合しても両者は一致しないので、ローレベルの駆動不許可信号（０）が電気／光変換部５５−１に出力される。電気／光変換部５５−２〜５５−ｎでは、上述したようにアドレス照合部６９−２〜６９−ｎから駆動不許可信号（０）が入力されているので、内部に設けられたレーザダイオードは駆動されない。
【００４０】
（３）センタ側伝送機器での表示
対象エリア側伝送機器１３−１から出力された波長ａの光信号が光ファイバ１６を介してセンタ側伝送機器１５に入力され、次いで、光入出力コネクタ７７、光ファイバ８９、ＷＤＭカプラ７５で光ファイバ８８に分岐して光／電気変換部９１に入力される。
【００４１】
光／電気変換部９１では、入力された波長ａの光信号が時分割多重された電気信号に変換されて分離部９３に出力される。分離部９３では、時分割多重された監視情報９９が制御情報と映像情報及び音声情報に分離され、制御情報がコントローラ３７へ、映像情報及び音声情報がデジタル／アナログ変換部９５へ出力される。
【００４２】
デジタル／アナログ変換部９５では、入力された映像情報が映像信号に変換されモニタ３１に出力され、対象となるエリア１の映像が監視センタに出力されると同時に、入力された音声情報が音声信号に変換されスピーカ３３に出力され、対象となるエリア１の音声が監視センタに出力される。
【００４３】
この結果、センタ側伝送機器１５に設けられたコントローラ３７から例えばエリア１が指定された場合、例えば５０ｋｍ隔たっているエリア１に設けられた対象エリア側伝送機器１３−１からエリア１の風景や音声が１心の光ファイバ１６を介してセンタ側伝送機器１５に接続されたモニタ３１やスピーカ３３に出力される。
【００４４】
なお、本実施の形態において、センタ側伝送機器１５から対象エリア側伝送機器１３−ｋに対してエリアｋの監視情報を要求するような動作をさせれば、対象エリア側伝送機器１３−ｋからの監視情報をセンタ側伝送機器１５に出力することができることは、言うまでもない。
【００４５】
このように、センタ側伝送機器から監視対象となるエリア１〜ｎのうちエリアｋを選択するためのアドレス情報をｎ個所の対象エリア側伝送機器に送信した場合には、当該アドレス情報で指定される監視対象となるエリアｋに設けられたエリア側伝送機器からのみ監視情報をセンタ側伝送機器に送信させるので、十ｋｍ程度の距離範囲内にある複数の監視対象となるエリアの何れか１つからの監視情報をセンタ側伝送機器で監視することができる。
【００４６】
また、センタ側伝送機器では、ｎ個所の監視対象となるエリアのうち第ｋ番目を選択するためのアドレス情報を送信し、エリアｋに設けられた対象エリア側伝送機器では、センタ側伝送機器から受信したアドレス情報が自機器のアドレスと一致した場合に駆動許可信号を出力し、駆動許可信号を入力した場合にのみ監視情報を光信号に変換して光ファイバを介して光カプラに出力することで、第ｋ番目のエリアからの監視情報のみを監視できるようにしている。
【００４７】
この結果、従来の双方向光伝送システムにおいて用いられていたカメラやマイクの切替を行うためのスイッチャが必要なくなり、光カプラ（１７）から十ｋｍ程度の距離範囲内にある複数のエリアを監視することができる。
【００４８】
また、電気／光変換部５５−１に設けられたレーザダイオードをイネーブル動作させるための駆動許可信号を多重伝送しているので、従来の双方向光伝送システムのような外付けのスイッチャを使用することなく複数系統のカメラやマイクを切替ることができる。この結果、従来の双方向光伝送システムと比較して、低コスト、省スペースの双方向光伝送システムを提供できるようになった。
【００４９】
（第２の実施の形態）
本発明の第２の実施の形態に係る双方向光伝送システムは、図１〜図３に示す双方向光伝送システム１１に適用可能である。
本実施の形態における特徴は、図１に示すように、対象エリア側伝送機器１３−１〜１３−ｎに設けられたコントローラ２９−１〜２９−ｎにそれぞれセンサ２７−１〜２７−ｎを接続しておき、例えばセンサ２７−ｋから出力される検知信号が予め設定された基準レベルを超えた場合には、コントローラ２９−ｋは異常情報（１）を制御情報に付加するようにしておき、この異常情報の有無をセンタ側伝送機器１５に設けられたコントローラ３７において判断して報知することにある。なお、異常情報が「１」のときに異常ありとし、異常情報が「０」のときに異常なしとする。
【００５０】
次に、図６に示すフローチャートを参照して、第２の実施の形態に係る双方向光伝送システムの動作について説明する。なお、図６に示すフローチャートは、制御プログラムとして、センタ側伝送機器１５に接続されているコントローラ３７に設けられたＲＯＭに記憶されている。
【００５１】
まず、コントローラ３７に設けられたＣＰＵは、ステップＳ１０では、ＲＡＭ上に設けられたワークエリアの制御アドレスに対して、ｋ＝１を設定する。
次いで、ステップＳ２０では、ＣＰＵは制御アドレス１を付加した制御情報を多重化部８３に出力することで、多重化部８３によりこの制御情報が時分割多重されてシリアル信号（伝送情報９７）に変換され、さらに、電気／光変換部８５では、時分割多重された電気的なシリアル信号が波長ｂの光信号に変換されて光ファイバ８７に出力される。そして、光ファイバ８７の他端に接続されているＷＤＭカプラ７５、光ファイバ８９、光入出力コネクタ７７を介して波長ｂの光信号が１心の光ファイバ１６に出射される。
【００５２】
この結果、第１の実施の形態において説明したように、機器アドレス（１）を有する対象エリア側伝送機器１３−１のみが、アドレス照合部６９−１から電気／光変換部５５−１に駆動許可信号（１）が出力されるので、対象エリア側伝送機器１３−１からセンタ側伝送機器１５に監視情報が送信される。
【００５３】
この時、対象エリア側伝送機器１３−１に設けられたコントローラ２９−１にセンサ２７−１が接続されているので、センサ２７−１から出力される検知信号が予め設定された基準レベルを超えた場合には、コントローラ２９−１により異常情報＝（１）が制御情報に付加された監視情報が生成される。
【００５４】
次いで、ステップＳ３０では、タイマ（図示しない）に計時を開始させて２秒経過したかどうか判断し、２秒経過した場合にはステップＳ４０に進む。
次いで、ステップＳ４０では、分離部９３により監視情報９９から分離された制御情報がコントローラ３７に入力される。次いで、ステップＳ５０では、入力された制御情報に異常情報＝（１）が含まれているかどうかを判断する。
【００５５】
次いで、入力された制御情報に異常情報＝（１）が含まれている場合には、ステップＳ６０に進み、エリア１に異常事態が発生しているので、コントローラ３７のパネル面に設けられたエリア１の表示に用いるＬＥＤ（図示しない）を点灯する。そして、ＲＡＭ上に設けられたワークエリア内の異常エリアテーブルに当該エリア番号を記憶する。
【００５６】
次いで、ステップＳ７０では、コントローラ３７のパネル面に設けられたブザー（図示しない）から警報音を発生させ、異常事態が発生したことを監視員に報知する。
一方、入力された制御情報に異常情報＝（０）が含まれている場合には、ステップＳ８０に進み、エリア１には異常事態が発生していないので、コントローラ３７のパネル面に設けられたエリア１の表示に用いるＬＥＤ（図示しない）を消灯する。そして、ＲＡＭ上に設けられたワークエリア内の異常エリアテーブルから当該エリア番号を削除する。
【００５７】
次いで、ステップＳ９０では、ＲＡＭ上に設けられたワークエリア内の異常エリアテーブルにエリア番号が全く記憶されていない場合には、全てのエリアに異常状態が発生していないので、ブザーから発生していた警報音を解除する。また、異常エリアテーブルにエリア番号が少なくとも１つ記憶されている場合には、何れかのエリアに異常状態が発生しているので、ブザーから継続して警報音を発生させておく。
【００５８】
次いで、ステップＳ１００では、ＣＰＵは、ＲＡＭ上に設けられたワークエリアに設定されている制御アドレスを読み出して、１を加えた値を新たなｋ値として、再度、制御アドレスとして設定する。
【００５９】
次いで、ステップＳ１１０では、ステップＳ１００で設定された新たなｋ値がｎ＋１まで到達したかどうかを判断する。新たなｋ値がｎ＋１まで到達していない場合には、ステップＳ３０に戻り、新たなｋ値を用いてステップＳ３０〜Ｓ１００までの処理を繰り返す。
【００６０】
一方、新たなｋ値がｎ＋１まで到達した場合には、ステップＳ１２０に進み、ＣＰＵは、コントローラ３７に設けられたマニュアルＳＷ（図示しない）が操作されたかどうかを判断する。マニュアルＳＷ（図示しない）が操作されていないた場合には、ステップＳ１０に戻り、ステップＳ１０〜Ｓ１２０までの処理を繰り返す。
【００６１】
ステップＳ１２０において、マニュアルＳＷ（図示しない）が操作された場合には、監視員によりマニュアル操作が行なわれている。
次いで、ステップＳ１３０では、ＣＰＵは、コントローラ３７に設けられたマニュアル解除ＳＷ（図示しない）が操作されたかどうかを判断する。マニュアル解除ＳＷ（図示しない）が操作された場合には、ステップＳ１０に戻り、上述した処理を繰り返す。
【００６２】
このように、それぞれの監視対象エリアに発生する異常状態を検知するためのセンサ２７−１〜２７−ｎをコントローラ２９−１〜２９−ｎに接続しておき、センサ２７−１〜２７−ｎにより異常状態が検知された場合に異常情報を監視情報９９に付加してそれぞれの対象エリア側伝送機器１３−１〜１３−ｎからセンタ側伝送機器１５に送信できるようにしておき、センタ側伝送機器１５において、コントローラ３７で１からｎまでのｋ値を順次設定してそのアドレス情報を対象エリア側伝送機器１３−１〜１３−ｎに送信し、第ｋ番目の対象エリア側伝送機器１３−ｋから受信した監視情報に異常情報が含まれるかどうかを判断し、この監視情報に異常情報が含まれると判断された場合には、第ｋ番目の監視対象エリア１３−ｋに異常が発生したことをコントローラ３７に設けられたＬＥＤ（図示しない）とブザー（図示しない）により監視員に報知することで、どの監視対象エリアに異常事態が発生したかを報知することができる。
【００６３】
また、第ｋ番目の対象エリア側伝送機器１３−ｋから受信した監視情報に異常情報が含まれないと判断された場合には、第ｋ番目の監視対象エリアに異常が発生したことの報知を解除することで、監視員は現在異常事態が発生している監視対象エリアのみを正確に確認することができる。
【００６４】
監視対象エリアに設けられたセンサで状態の変化を検出した場合、例えば、赤外線センサで不審者の侵入を検出した場合、放射能センサで放射能漏れを検出した場合、交通流検知器で渋滞を検出した場合、異常音検出器で交通事故に類した衝突音を検出した場合など、その画像情報をセンタ側伝送機器側のモニタに出力することができ、異常状態の確認が容易になる。
【００６５】
また、例えば赤外線センサで立入禁止域への不審者の侵入を検出した場合では、センタ側伝送機器からモニタ及びスピーカから映像及び音声を出力した上で、センタ側伝送機器から該当する対象エリア側伝送機器への音声信号と制御信号を伝送し、対象エリア側伝送機器に接続されるスピーカから警告音声を発生することができる。
【００６６】
（第３の実施の形態）
図７は、本発明の第３の実施の形態に係る双方向光伝送システム１０１のシステム構成を示す図である。
図７に示すように、双方向光伝送システム１０１には、監視対象となるエリアに設けられた対象エリア側伝送機器１１３、それぞれの監視センタに設けられたセンタ側伝送機器１１５−１〜１１５−ｎ、それぞれの監視センタから例えば１０ｋｍ程度離れた位置に設けられ光カプラ１０３が備えられている。また、光カプラ１０３は、監視対象となるエリアから例えば５０ｋｍ程度離れた位置に設置されている。
【００６７】
光カプラ１０３の一端には１心の光ファイバ１１６を介して対象エリア側伝送機器１１３が接続されており、他端にはｎ心の光ファイバ１０５−１〜１０５−ｎを介してそれぞれの監視センタに設けられたセンタ側伝送機器１１５−１〜１１５−ｎが接続されている。
【００６８】
そして、対象エリア側伝送機器１１３には、カメラ（映像撮像機）１２１、マイク１２３、スピーカ１２５、各種のセンサ１２７、対象エリア側伝送機器１１３の制御に用いるコントローラ１２９が接続されている。
【００６９】
各種のセンサ１２７としては、赤外線を検知する赤外線センサ、振動を検知する振動センサ、酸素濃度を検知する酸素センサ、放射能を検知する放射能センサ、風速を検知する風速計、水深を検知する水深計、車両の交通流を検知する交通流検知器、異常音を検知する異常音検知器等があり、検知信号をコントローラ１２９に出力する。
【００７０】
また、センタ側伝送機器１１５−１〜１１５−ｎには、モニタ（映像受像器）１３１−１〜１３１−ｎ、スピーカ１３３−１〜１３３−ｎ、マイク１３５−１〜１３５−ｎ、センタ側伝送機器１１５−１〜１１５−ｎの制御に用いるコントロー１３７−１〜１３７−ｎが接続されている。コントローラ１３７−１〜１３７−ｎには、ＲＯＭ、ＲＡＭ、ＣＰＵ、タイマが設けられている。
【００７１】
図７に示すように、双方向光伝送システム１０１は、センタ側伝送機器１１５−１〜１１５−ｎが光カプラ１０３を介して対象エリア側伝送機器１１３に対向されいる。ここで、例えば対象エリア側伝送機器１１３から光ファイバ１１６、光カプラ１０３、光ファイバ１０５−１〜１０５−ｎを介してセンタ側伝送機器１１５−１〜１１５−ｎに情報を伝送する場合には、例えば１３１０ｎｍの光波長ａを用い、センタ側伝送機器１１５−１〜１１５−ｎから光ファイバ１０５−１〜１０５−ｎ、光カプラ１０３、光ファイバ１１６を介して対象エリア側伝送機器１１３に情報を伝送する場合には例えば１５５０ｎｍの光波長ｂを用いるようにして、異なる光波長を用いることで１心の光ファイバ１６と光ファイバ１０５−１〜１０５−ｎにより、映像情報、音声情報、制御情報等の複数の情報を双方向伝送している。
【００７２】
次に、図８は対象エリア側伝送機器１１３のブロック構成を示す図であり、図９はセンタ側伝送機器１１５−ｋのブロック構成を示す図である。
図８に示すように、対象エリア側伝送機器１１３には、送信部１４１、受信部１４３、ＷＤＭカプラ１４５、光入出力コネクタ１４７が備えられており、送信部１４１と受信部１４３及び光入出力コネクタ１４７がＷＤＭカプラ１４５を介して結合されている。
【００７３】
送信部１４１には、アナログ入力信号をデジタル信号に変換するアナログ／デジタル変換部１５１、複数の入力デジタル信号を時分割多重しシリアル信号に変換する多重化部１５３、時分割多重された電気的なシリアル信号を例えばレーザダイオードを用いて光信号に変換する電気／光変換部１５５が設けられている。
【００７４】
受信部１４３には、時分割多重されたデジタル光信号を電気信号に変換する光／電気変換部１６１、時分割多重されたデジタル信号を複数のデジタル信号に分離する分離部１６３、分離されたデジタル信号をアナログ信号に変換するデジタル／アナログ変換部１６５が設けられている。
【００７５】
ＷＤＭカプラ１４５は、送信部１４１から波長ａの光信号が入力された場合に光入出力コネクタ１４７に波長ａの光信号を出力し、光入出力コネクタ４７から波長ｂの光信号が入力された場合に受信部１４３に波長ｂの光信号を出力する。
【００７６】
図９に示すように、センタ側伝送機器１１５−ｋには、送信部１７１−ｋ、受信部１７３−ｋ、ＷＤＭカプラ１７５−ｋ、光入出力コネクタ１７７−ｋが備えられており、送信部１７１−ｋと受信部１７３−ｋ及び光入出力コネクタ１７７−ｋがＷＤＭカプラ１７５−ｋを介して結合されている。
【００７７】
送信部１７１−ｋには、アナログ入力信号をデジタル信号に変換するアナログ／デジタル変換部１８１−ｋ、複数の入力デジタル信号を時分割多重しシリアル信号に変換する多重化部１８３−ｋ、時分割多重された電気的なシリアル信号を光信号に変換する電気／光変換部１８５−ｋが設けられている。
【００７８】
受信部１７３−ｋには、時分割多重されたデジタル光信号を電気信号に変換する光／電気変換部１９１−ｋ、時分割多重されたデジタル信号を複数のデジタル信号に分離する分離部１９３−ｋ、ハイレベルの駆動許可信号（１）が入力された場合に分離されたデジタル信号をアナログ信号に変換するデジタル／アナログ変換部１９５−ｋ、分離部１９３−ｋで分離された制御情報に含まれる制御アドレスがデップＳＷ１９７−ｋに設定してある当該機器アドレス（ｋ）と照合して両者が一致する場合に異常状態のときにそれぞれ映像信号及び音声信号毎にハイレベルの音声ＯＮ切替信号（１）及び／又は映像ＯＮ切替信号（１）をデジタル／アナログ変換部１９５−ｋに出力するアドレス照合部１９９−ｋが設けられている。
【００７９】
ＷＤＭカプラ１７５−ｋは、送信部１７１−ｋから波長ｂの光信号が入力された場合に光入出力コネクタ１４７−ｋに波長ｂの光信号を出力し、光入出力コネクタ１４７−ｋから波長ａの光信号が入力された場合に受信部１７３−ｋに波長ａの光信号を出力する。
【００８０】
次に、図７〜図１０を参照して、本発明の第３の実施の形態に係る双方向光伝送システム１０１の動作を説明する。なお、図１０は、対象エリア側伝送機器１１３に接続されているコントローラ１２９に設けられた異常報知テーブル２０１のデータ構造を示している。図１１は、対象エリア側伝送機器１１３からセンタ側伝送機器１１５−１〜１１５−ｎに送信される制御情報や音声情報や映像情報等の監視情報のデータ構造を示している。
【００８１】
（１）対象エリア側伝送機器での異常報知テーブルの作成
いま、双方向光伝送システム１０１のシステム管理者が、対象エリア側伝送機器１１３に接続されているコントローラ１２９に対して、異常時に収集される対象エリア周辺の映像及び音声をどのセンタに報知するか指定しようとしていることとする。
【００８２】
図８において、対象エリア側伝送機器１１３に接続されているコントローラ１２９がシステム管理者によって操作され、例えば、異常発生時にセンタ１に対して対象エリア側の音声をＯＮ／ＯＦＦ指定するスイッチ（図示しない）が押され、次いで、映像をＯＮ／ＯＦＦ指定するスイッチ（図示しない）が押され、その指定内容がコントローラ１２９に設けられた異常報知テーブル２０１に記憶される。
【００８３】
同様にして、センタ２〜センタｎに対してそれぞれどのような異常報知を行うかを異常報知テーブル２０１に記憶する。この結果、図１０に示すような異常報知テーブル２０１が作成される。
【００８４】
（２）異常発生時の対象エリア側伝送機器の動作
コントローラ１２９に設けられたＣＰＵは、センサ１２７から出力される検知信号が予め設定された基準レベルを超えるかどうかを判断している。通常、センサ１２７から出力される検知信号が予め設定された基準レベルを超えていない場合には、停止指令をコントローラ１２９から多重化部１５３に出力し、電気／光変換部１５５から光信号が出力されないように制御している。なお、異常がない場合でも、センタで常時監視するようにしてもよく、この場合、光信号を常時出力すればよい。
【００８５】
いま、コントローラ１２９に入力されるセンサ１２７からの検知信号が予め設定された基準レベルを超えた場合には、ＣＰＵは、図１０に示す異常報知テーブル２０１を参照して、図１１に示すような音声系制御情報及び映像系制御情報を生成する。
【００８６】
すなわち、図１０に示す異常報知テーブル２０１を参照して、制御アドレス（１）に対して、例えば音声ＯＮ／ＯＦＦフラグを１に設定し、同様にして図１１（ｂ）に示すように、制御アドレス（１）〜（ｎ）にそれぞれ対応する音声ＯＮ／ＯＦＦフラグを設定する。
【００８７】
次いで、図１０に示す異常報知テーブル２０１を参照して、制御アドレス（１）に対して、例えば映像ＯＮ／ＯＦＦフラグを１に設定し、同様にして図１１（ｃ）に示すように、制御アドレス（１）〜（ｎ）にそれぞれ対応する映像ＯＮ／ＯＦＦフラグを設定する。
【００８８】
この時、コントローラ１２９では、センサ１２７からの検知信号が予め設定された基準レベルを超えたので、ＣＰＵは、上述した停止指令を解除してコントローラ１２９から出力指令を多重化部１５３に出力し、電気／光変換部１５５から光信号が出力できるように制御している。
【００８９】
さて、アナログ／デジタル変換部１５１では、カメラ１２１及びマイク１２３から入力された映像信号及び音声信号が映像情報及び音声情報に変換されて多重化部１５３に出力される。多重化部１５３では、コントローラ１２９から入力された制御信号、アナログ／デジタル変換部１５１から入力された映像情報及び音声情報が時分割多重されたシリアル信号（監視情報２０３）に変換され電気／光変換部１５５に出力される。
電気／光変換部１５５では、時分割多重された電気的なシリアル信号が光信号に変換され光ファイバ１５７に波長ａの光信号が出射される。
【００９０】
次いで、電気／光変換部１５５から出射された波長ａの光信号は、光ファイバ１５７、ＷＤＭカプラ１４５、光ファイバ１５９、光入出力コネクタ１４７、光ファイバ１１６、光カプラ１４７、光ファイバ１１６を介して例えば５０ｋｍ離れた光カプラ１０３に入力される。
【００９１】
光カプラ１０３では、ｎ本の光ファイバ１０５−１〜１０５−ｎに分岐され、センタ１〜ｎに設けられたセンタ側伝送機器１１５−１〜１１５−ｎにそれぞれ入力される。
【００９２】
（３）センタ側伝送機器の応答
光カプラ１０３から出力された波長ａの光信号が光ファイバ１０５−ｋを介してセンタ側伝送機器１１５−ｋに入力され、次いで、光入出力コネクタ１７７−ｋ、光ファイバ１８９−ｋ、ＷＤＭカプラ１７５−ｋで光ファイバ１８８−ｋに分岐され光／電気変換部１９１−ｋに入力される。
【００９３】
光／電気変換部１９１−ｋでは、入力された波長ａの光信号が時分割多重された電気信号に変換されて分離部１９３−ｋに出力される。分離部１９３−ｋでは、時分割多重された監視情報２０３が制御情報と映像情報及び音声情報に分離され、制御情報がアドレス照合部１９９−ｋへ、映像情報及び音声情報がデジタル／アナログ変換部１９５−ｋへ出力される。
【００９４】
アドレス照合部１９９−ｋでは、デップＳＷ１９７−ｋに設定してある当該機器アドレス（ｋ）が入力されており、分離部１９３−ｋで分離された音声系制御アドレスと当該機器アドレス（ｋ）と照合して両者が一致する場合に、当該制御アドレスの直後に位置する音声ＯＮ／ＯＦＦフラグの設定状態を判断し、音声ＯＮ／ＯＦＦフラグに「１」が設定されているときに、ハイレベルの音声ＯＮ切替信号（１）がデジタル／アナログ変換部１９５−ｋに出力される。この時、音声ＯＮ／ＯＦＦフラグの設定状態を判断し、音声ＯＮ／ＯＦＦフラグに「０」が設定されているときに、ローレベルの音声ＯＦＦ切替信号（０）がデジタル／アナログ変換部１９５−ｋに出力される。
【００９５】
同様に、アドレス照合部１９９−ｋでは、分離部１９３−ｋで分離された映像系制御アドレスと当該機器アドレス（ｋ）と照合して両者が一致する場合に、当該制御アドレスの直後に位置する映像ＯＮ／ＯＦＦフラグの設定状態を判断し、映像ＯＮ／ＯＦＦフラグに「１」が設定されているときに、ハイレベルの映像ＯＮ切替信号（１）がデジタル／アナログ変換部１９５−ｋに出力される。この時、映像ＯＮ／ＯＦＦフラグの設定状態を判断し、映像ＯＮ／ＯＦＦフラグに「０」が設定されているときに、ローレベルの映像ＯＦＦ切替信号（０）がデジタル／アナログ変換部１９５−ｋに出力される。
【００９６】
次いで、デジタル／アナログ変換部１９５−ｋでは、アドレス照合部１９９−ｋから入力されるハイレベルの音声ＯＮ切替信号（１）に応じてＤ／Ａ変換動作がイネーブルになるように構成されており、アドレス照合部１９９−ｋから入力される音声ＯＮ切替信号（１）に応じて、分離部１９３−ｋから入力されたデジタル信号の音声情報がアナログ信号の音声信号に変換されスピーカ１３３−ｋに出力され、また、アドレス照合部１９９−ｋから入力される映像ＯＮ切替信号（１）に応じて、分離部１９３−ｋから入力されたデジタル信号の映像情報がアナログ信号の映像信号に変換されモニタ１３１−ｋに出力される。
【００９７】
この結果、対象エリア側伝送機器１１３に設けられたコントローラ１２９に予め設定された異常報知テーブル２０１の指定内容に則して、対象エリア側伝送機器１１３からセンタ側伝送機器１１５−１〜１１５−ｎへの報知内容として、音声情報及び／又は映像情報を報知するか否かをそれぞれ最適に変更することができる。
【００９８】
【発明の効果】
請求項１記載の本発明によれば、センタ側伝送機器は、第１乃至第ｎの監視対象エリアのうち第ｋ番目を選択するためのアドレス情報を制御情報に付加して送信し、第ｋ番目の対象エリア側伝送機器は、センタ側伝送機器から受信したアドレス情報が自機器のアドレスと一致した場合に駆動許可信号を出力し、この駆動許可信号を入力した場合にのみ監視情報を光信号に変換して光カプラに出力するので、例えば十ｋｍ程度の距離範囲内にある複数の監視対象となるエリアの何れか１つからの監視情報をセンタ側伝送機器で監視することができる。
【００９９】
請求項４記載の本発明によれば、対象エリア側伝送機器は、当該監視対象エリアに発生する異常状態を検知するようにしておき、第１乃至第ｎのセンタ側伝送機器のアドレス情報に対してそれぞれ音声情報及び／又は映像情報を報知するか否かを表す出力可否フラグを記憶し、異常状態が検知された場合に、音声情報及び映像情報に付加して第１乃至第ｎのセンタ側伝送機器のアドレス情報とそれぞれの出力可否フラグを第１乃至第ｎのセンタ側伝送機器に送信し、第１乃至第ｎのセンタ側伝送機器は、対象エリア側伝送機器から受信したアドレス情報が自機器のアドレスと一致した場合に、出力可否フラグに応じて音声ＯＮ／ＯＦＦ信号及び映像ＯＮ／ＯＦＦ信号を出力し、音声ＯＮ／ＯＦＦ信号及び映像ＯＮ／ＯＦＦ信号に応じて対象エリア側伝送機器から受信した音声情報及び映像情報の出力の可否を決定することで、対象エリア側伝送機器から第１乃至第ｎのセンタ側伝送機器への報知内容として、音声情報及び／又は映像情報を報知するか否かをそれぞれ最適に変更することができる。
【図面の簡単な説明】
【図１】本発明の第１の実施の形態に係る双方向光伝送システム１１のシステム構成を示す図である。
【図２】対象エリア側伝送機器１３−ｋのブロック構成を示す図である。
【図３】センタ側伝送機器１５のブロック構成を示す図である。
【図４】センタ側伝送機器１５から対象エリア側伝送機器１３−１〜１３−ｎに送信される制御情報や音声情報等の伝送情報のデータ構造を示す図である。
【図５】対象エリア側伝送機器１３−１〜１３−ｎの何れか１つから送信される制御情報や音声情報等の監視情報９９のデータ構造を示す図である。
【図６】第２の実施の形態に係る双方向光伝送システムの動作を説明するためのフローチャートである。
【図７】本発明の第３の実施の形態に係る双方向光伝送システム１０１のシステム構成を示す図である。
【図８】対象エリア側伝送機器１１３のブロック構成を示す図である。
【図９】センタ側伝送機器１１５−ｋのブロック構成を示す図である。
【図１０】対象エリア側伝送機器１１３に接続されているコントローラ１２９に設けられた異常報知テーブル２０１のデータ構造を示す図である。
【図１１】対象エリア側伝送機器１１３からセンタ側伝送機器１１５−１〜１１５−ｎに送信される制御情報や音声情報や映像情報等の監視情報のデータ構造を示す図である。
【図１２】従来の双方向光伝送システム９１１のシステム構成を示す図である。
【符号の説明】
１１，１０１　双方向光伝送システム
１３−１〜１３−ｎ，１１３　対象エリア側伝送機器
１５，１１５−１〜１１５−ｎ　センタ側伝送機器
１７，１０３　光カプラ
１６，１８−１〜１８−ｎ，１１６　光ファイバ
２１−１〜２１−ｎ，１２１　カメラ
２３−１〜２３−ｎ，３５，１２３，１３５−ｋ　マイク
２５−１〜２５−ｎ，３３，１２５，１３３−ｋ　スピーカ
２７−１〜２７−ｎ，１２７　センサ
２９−１〜２９−ｎ、３７，１２９，１３７−ｋ　コントローラ
３１，１３１−ｋ　モニタ
４１−ｋ，１４１，７１，１７１−ｋ　送信部
４３−ｋ，１４３，７３，１７３−ｋ　受信部
４５−ｋ，１４５，７５，１７５−ｋ　ＷＤＭカプラ
４７−ｋ，１４７，７７，１７７−ｋ　光入出力コネクタ
５１−ｋ，１６５，８１，１８１　アナログ／デジタル変換部
５３−ｋ，１５３，８３，１８３　多重化部
５５−ｋ，１５５，８５，１８５−ｋ　電気／光変換部
６１−ｋ，１６１，９１，１９１−ｋ　光／電気変換部
６３−ｋ，１６３，９３，１９３　分離部
６５−ｋ，１６５，９５，１９５−ｋ　デジタル／アナログ変換部
６３−ｋ，１６３，９３，１９３−ｋ　分離部
６７−ｋ，１９７−ｋ　デップＳＷ
６９−ｋ，１９９−ｋ　アドレス照合部
９７　伝送情報
９９，２０３　監視情報
２０１　異常報知テーブル
【図１】
2004038441.tif 000003
【図２】
2004038441.tif 000004
【図３】
2004038441.tif 000005
【図４】
2004038441.tif 000006
【図５】
2004038441.tif 000007
【図６】
2004038441.tif 000008
【図７】
2004038441.tif 000009
【図８】
2004038441.tif 000010
【図９】
2004038441.tif 000011
【図１０】
2004038441.tif 000012
【図１１】
2004038441.tif 000013
【図１２】
2004038441.tif 000014